(57)【要約】【課題】コンパクトに構成してしかも浴槽と風呂釜との接続作業や風呂釜のメンテナンス作業を極めて容易に行うことができる浴室外設置型風呂釜を提供する。【解決手段】本体ケース２の底板１６を介して下方に入口側接続部１７と出口側接続部１８とを突出させる。浴室壁５に対向する本体ケース２の背面板６の面方向に直交する同一直線ａ上に入口側接続部１７と出口側接続部１８とを配設すると共に、出口側接続部１８を入口側接続部１７よりも本体ケース２の背面板６側に位置させる。浴槽１１に連通し且つ浴室壁５外に突出させた上方の浴槽パイプ９に出口側接続部１８を接続し、下方の浴槽パイプ１０に入口側接続部１７を接続する。【選択図】図１
2006266508.tif 000002
【特許請求の範囲】
【請求項１】
熱交換器に連通し且つ本体ケースから突出させた入口側接続部及び出口側接続部を、浴槽に連通し且つ浴室壁外に突出させた上下一対の浴槽パイプの夫々に接続する浴室外設置型風呂釜であって、下方の浴槽パイプに接続される前記入口側接続部を始端とし上方の浴槽パイプに接続される出口側接続部を終端とする水回路に循環ポンプを設けると共に、入口側接続部と出口側接続部とを、本体ケースの底板を介して下方に突出させたものにおいて、
浴室壁外側面に対向する本体ケースの背面板の面方向に直交する同一直線上に前記入口側接続部と前記出口側接続部とを配設すると共に、出口側接続部を入口側接続部よりも本体ケースの背面板側に位置させたことを特徴とする浴室外設置型風呂釜。
【請求項２】
前記出口側接続部は、該出口側接続部に一端が接続されて下方に延び且つＬ字状に折り曲げられて他端が浴室壁に向かって突出する出口側接続用銅管を介して前記上方の浴槽パイプに接続され、
前記入口側接続部は、該入口側接続部に一端が接続されて出口側接続用銅管より下方に延び且つＬ字状に折り曲げられて他端が出口側接続用銅管の直下位置で浴室壁に向かって突出する入口側接続用銅管を介して前記下方の浴槽パイプに接続されることを特徴とする請求項１記載の浴室外設置型風呂釜。
【発明の詳細な説明】
【技術分野】
【０００１】
本発明は、浴室外に設置して浴室壁を介して浴室内の浴槽に接続される浴室外設置型風呂釜に関する。
【背景技術】
【０００２】
この種の風呂釜は浴室外に設置され、浴室内に設置された浴槽から浴室壁外に突出する浴槽パイプに接続して浴槽内の水を加熱する。この種の風呂釜は熱交換器に連通する入口側接続部と出口側接続部とが本体ケースから突出し、浴槽に設けられた上下２つの循環孔に接続された一対の浴槽パイプに入口側接続部と出口側接続部との夫々が接続される。そして、入口側接続部から熱交換器を経て出口側接続部に至る水回路に循環ポンプが設けられ、浴槽内の水を強制的に循環しつつ加熱される。
【０００３】
従来、この種の風呂釜においては、下記特許文献１に見られるように、入口側接続部と出口側接続部とを、本体ケースの底板を介して下方に突出させたものが知られている。これによれば、風呂釜の本体ケースの下方で配管作業が行えるので、本体ケースと浴室壁外側面との間に接続作業用のスペースを設ける必要がなく、風呂釜と浴室壁外側面との隙間を小さくすることができ、コンパクトに設置することができる。
【０００４】
ところで、一側壁に上下２つの循環孔を備える浴槽は、両循環孔に接続された夫々の循環パイプも上下方向に並んで浴室外に延出される。この場合に、下記特許文献１に見られるように、本体ケースの下方から突出する入口側接続部と出口側接続部とが、浴室壁外側面に対向する本体ケースの背面板の面方向に沿って左右方向に配設されていると、上下方向に並んで浴室外に延出された夫々の循環パイプに入口側接続部と出口側接続部とを接続するために、接続配管を縦方向と横方向とに複数箇所で屈曲させる必要が生じ、配管状態が複雑となる不都合がある。特に、この種の風呂釜はコンパクトに設置されるために、本体ケースの下方における奥行き方向に十分なスペースが得られず、狭い空間での配管接続作業が困難となる。しかも、本体ケースの下方に複雑に屈曲する配管が存在するために、循環ポンプの水抜き栓、燃料ガス管の接続部、或いは、制御用に給電するために電気コード等を本体ケースの底板に設ける際の配置が制限され、メンテナンス作業等が困難となる不都合がある。
【０００５】
更に、夫々の循環パイプに入口側接続部と出口側接続部とを接続する際に銅管を採用する場合には、銅管を複数個所で屈曲させなければならず、コストが高くなる不都合がある。
【特許文献１】実開昭６３−１７８７５５号公報（第１図、第３図）
【発明の開示】
【発明が解決しようとする課題】
【０００６】
かかる不都合を解消して、コンパクトに構成してしかも浴槽と風呂釜との接続作業や風呂釜のメンテナンス作業を極めて容易に行うことができる浴室外設置型風呂釜を提供することを目的とする。
【課題を解決するための手段】
【０００７】
かかる目的を達成するために、本発明は、熱交換器に連通し且つ本体ケースから突出させた入口側接続部及び出口側接続部を、浴槽に連通し且つ浴室壁外に突出させた上下一対の浴槽パイプの夫々に接続する浴室外設置型風呂釜であって、下方の浴槽パイプに接続される前記入口側接続部を始端とし上方の浴槽パイプに接続される出口側接続部を終端とする水回路に循環ポンプを設けると共に、入口側接続部と出口側接続部とを、本体ケースの底板を介して下方に突出させたものにおいて、浴室壁外側面に対向する本体ケースの背面板の面方向に直交する同一直線上に前記入口側接続部と前記出口側接続部とを配設すると共に、出口側接続部を入口側接続部よりも本体ケースの背面板側に位置させたことを特徴とする。
【０００８】
本発明によれば、入口側接続部と出口側接続部とを、本体ケースの底板を介して下方に突出させただけでなく、本体ケースの背面板の面方向に直交する同一直線上に配設したことにより、上下一対の浴槽パイプの延長線に沿って入口側接続部と出口側接続部とを位置合わせするだけで、入口側接続部及び出口側接続部と各浴槽パイプとの間の接続配管を複雑に屈曲させることなく簡素に接続することができる。これにより、接続作業を極めて容易に行うことができる。しかも、入口側接続部及び出口側接続部と各浴槽パイプとの接続配管が比較的短く且つコンパクトとなるので、本体ケースの底板に、例えば循環ポンプの水抜き口や、燃焼制御のための電気配線、及び燃料の供給用配管等を夫々好適な位置に設けることができ、設置作業やメンテナンス作業等を容易に行うことができる。しかも、上方の浴槽パイプは本体ケースの背面板側に位置する出口側接続部に接続するので、上方の浴槽パイプと出口側接続部との配管距離を極めて短くすることができ、コンパクトな接続状態を形成することができる。
【０００９】
そして、本発明において、前記出口側接続部は、該出口側接続部に一端が接続されて下方に延び且つＬ字状に折り曲げられて他端が浴室壁に向かって突出する出口側接続用銅管を介して前記上方の浴槽パイプに接続され、前記入口側接続部は、該入口側接続部に一端が接続されて出口側接続用銅管より下方に延び且つＬ字状に折り曲げられて他端が出口側接続用銅管の直下位置で浴室壁に向かって突出する入口側接続用銅管を介して前記下方の浴槽パイプに接続されることが好ましい。
【００１０】
出口側接続用銅管は出口側接続部と上方の浴槽パイプの間に接続される。同じように、入口側接続用銅管は入口側接続部と下方の浴槽パイプの間に接続される。出口側接続部と入口側接続部とは、共に浴槽パイプの延長線の上方に位置するので、出口側接続用銅管と入口側接続用銅管とは夫々一箇所で折り曲げてＬ字状に形成すればよく、銅管を安価に製造することができると共に接続作業を容易に行うことができる。
【発明を実施するための最良の形態】
【００１１】
本発明の一実施形態を図面に基づいて説明する。図１は本実施形態の風呂釜の設置状態を示す説明的側面図、図２は本実施形態の風呂釜の本体ケース内部の構成を模式的に示す説明図、図３は本実施形態の風呂釜の説明的底面図である。
【００１２】
本実施形態の風呂釜１は、図１に示すように、箱形状の本体ケース２を備え、載置台３に載置された状態で浴室４に対応する浴室壁５から所定距離を存して設置される。本体ケース２の背面板６の上端部と下端部には転倒防止用の金具７，８が設けられており、該金具７，８により浴室壁５に連結されて転倒が防止されている。
【００１３】
風呂釜１には、浴室壁５から突出する上下一対の浴槽パイプ９，１０が接続される。浴槽パイプ９，１０は、浴槽１１の内部に連通して垂直方向に配設された一対の連通孔１２，１３に接続されている。
【００１４】
風呂釜１の本体ケース２内には、図２に示すように、ガスバーナ１４と、該ガスバーナ１４によって加熱される熱交換器１５とが設けられている。熱交換器１５は本体ケース２の底板１６から下方に突出する入口側接続部１７と出口側接続部１８とに連通して水回路１９を構成している。また、水回路１９の入口側接続部１７と熱交換器１５との間には該水回路１９の湯を強制的に循環させる循環ポンプ２０が設けられている。更に、本体ケース２内には、循環ポンプ２０の駆動制御やガスバーナ１４の燃焼制御を行う制御手段２１が設けられている。
【００１５】
そして、図１に示すように、風呂釜１の入口側接続部１７には入口側接続用銅管２２が接続され、入口側接続用銅管２２には下方の浴槽パイプ１０が接続される。同じように、風呂釜１の出口側接続部１８には出口側接続用銅管２３が接続され、出口側接続用銅管２３には上方の浴槽パイプ９が接続される。このとき、図３に示すように、前記入口側接続部１７と前記出口側接続部１８とは、本体ケース２の背面板６の面方向に直交する直線ａ上に配設されている。更に、出口側接続部１８は、入口側接続部１７よりも本体ケース２の背面板６側に位置している。また、図２に示すように、入口側接続用銅管２２はその一端が入口側接続部１７に接続されて下方に延び、単一の曲げ部２４を介してＬ字状に折り曲げられた形状で他端が下方の浴槽パイプ１０に接続されている。同様に、出口側接続用銅管２３はその一端が出口側接続部１８に接続されて下方に延び、単一の曲げ部２５を介してＬ字状に折り曲げられた形状で他端が上方の浴槽パイプ９に接続されている。これにより、入口側接続部１７及び出口側接続部１８と各浴槽パイプ９，１０との間の接続配管を簡素な形状の入口側接続用銅管２２及び出口側接続用銅管２３により接続することができ、接続作業を極めて容易に行うことができる。しかも、本体ケース２の底板１６においては、図３に示すように、出口側接続部１８と入口側接続部１７とが背面板６に直交する方向に並んで設けられているので、その両側に比較的広いスペースを確保することができ、そのスペースに循環ポンプの水抜き口２６、ガス管接続部２７、電気配線２８（図２参照）の貫通孔２９等を設けて配管接続作業やメンテナンス作業等を容易とすることができる。
【００１６】
また、図２に示すように、出口側接続部１８は、入口側接続部１７よりも本体ケース２の背面板６側寄りに位置しているので、上方の浴槽パイプ９と出口側接続部１８との配管距離を極めて短くすることができ、出口側接続用銅管２３の長さを短くして材料コストを削減することができる。
【図面の簡単な説明】
【００１７】
【図１】本発明の一実施形態の風呂釜の設置状態を示す説明的側面図。
【図２】本実施形態の風呂釜の本体ケース内部の構成を模式的に示す説明図。
【図３】本実施形態の風呂釜の説明的底面図。
【符号の説明】
【００１８】
１…浴室外設置型風呂釜、２…本体ケース、５…浴室壁、６…背面板、９，１０…浴槽パイプ、１５…熱交換器、１６…底板、１７…入口側接続部、１８…出口側接続部、１９…水回路、２０…循環ポンプ、２２…出口側接続用銅管、２３…入口側接続用銅管。
【図１】
2006266508.tif 000003
【図２】
2006266508.tif 000004
【図３】
2006266508.tif 000005